(57)【特許請求の範囲】
【請求項１】
吐水口につながる給水ホースが吐水管内に挿入され、前記給水ホースと前記吐水管との間に少なくとも一部が管状をなすインナー部材が配置された水栓であって、
前記吐水管は、その中間部が逆Ｕ字状のグースネック状に形成され、
前記給水ホースは、前記吐水管及び前記インナー部材に対して、軸方向に移動自在に収納され、
前記インナー部材の下側に、吐水口側先端から前記軸方向に沿って延びる第１の切り欠きが設けられることを特徴とする水栓。
【請求項２】
前記第１の切り欠きに対向する位置に吐水口側先端から軸方向に沿って延びる第２の切り欠きがさらに設けられ、前記第２の切り欠きは前記第１の切り欠きよりも短いことを特徴とする請求項１に記載の水栓。
【請求項３】
前記第１の切り欠きおよび／または前記第２の切り欠きは吐水口側から基端部側に向けて徐々に切り欠きの幅が狭まる形状であることを特徴とする請求項２に記載の水栓。
【請求項４】
前記インナー部材において、前記第１の切り欠きとは径方向反対側に平面部が設けられることを特徴とする請求項１ないし３のいずれかに記載の水栓。
【請求項５】
吐水口につながる給水ホースが吐水管内に挿入され、前記給水ホースと前記吐水管との間に少なくとも一部が管状をなすインナー部材が配置された水栓であって、
前記インナー部材に、吐水口側先端から軸方向に沿って延びる第１の切り欠きが設けられ、
前記インナー部材において、前記第１の切り欠きとは径方向反対側に平面部が設けられ、
前記平面部は、前記第１の切り欠きの軸方向終端と実質的に同位置まで延び、前記平面部の終端に段差が形成されていることを特徴とする水栓。
【請求項６】
前記インナー部材の吐水口側先端に、前記平面部に隣接して、前記吐水管の内壁面を押圧する押圧片を設けたことを特徴とする請求項４または５に記載の水栓。
【発明の詳細な説明】
【技術分野】
【０００１】
本発明は、給水ホースを備える水栓に関する。
【背景技術】
【０００２】
従来より、給水ホースとともに引き出し可能な吐水口部材を備える水栓が知られている。例えば特許文献１には、給水ホースが吐水管や吐水管内に配置されたハーネス等と干渉しないようにするため、摺れ防止用のインナー部材を吐水管内に設けた水栓が開示されている。インナー部材の中に給水ホースを通すことで、給水ホースの摺動性が確保される。
【先行技術文献】
【特許文献】
【０００３】
【特許文献１】特許５２４７３９２号
【発明の概要】
【発明が解決しようとする課題】
【０００４】
上記特許文献１では、インナー部材の断面が円形であるため、インナー部材と吐水管との間の空間が小さく、コネクタ等の部品をインナー部材の周囲に配置しづらい。これを解消すべく、インナー部材の外径を小さくすると、給水ホースをインナー部材内に挿入しにくくなる上、ホースの摺動性も損なわれてしまう。
【０００５】
本発明は、このような課題に鑑みてなされ、その目的は、給水ホースを備え、給水ホースと吐水管の間にインナー部材が配置される水栓において、給水ホースをインナー部材に挿入しやすくする技術を提供することにある。
【課題を解決するための手段】
【０００６】
上記課題を解決するために、本発明のある態様は、吐水口につながる給水ホースが吐水管内に挿入され、給水ホースと吐水管との間に少なくとも一部が管状をなすインナー部材が配置された水栓であって、インナー部材に、吐水口側先端から軸方向に沿って延びる第１の切り欠きが設けられる水栓を提供する。
【０００７】
この態様によると、吐水口側からインナー部材内に給水ホースを挿入するときに第１の切り欠きが広がるため、給水ホースの挿入がしやすくなる。なお、「少なくとも一部が管状をなすインナー部材」とは、インナー部材のうち少なくとも一部分の軸方向断面が、開口部のない閉じた形になっていることを指す。
【０００８】
第１の切り欠きがインナー部材の下側に設けられてもよい。これによると、吐水管がグースネック形などの曲がった形状であるとき、給水ホースとインナー部材とが接触する側が広がるので、給水ホースの挿入がしやすくなる。
【０００９】
第１の切り欠きに対向する位置に吐水口側先端から軸方向に沿って延びる第２の切り欠きがさらに設けられ、第２の切り欠きが第１の切り欠きよりも短くてもよい。これによると、給水ホースの挿入時に第１の切り欠きとともに第２の切り欠きも広がるので、給水ホースの挿入がさらにしやすくなる。また、第２の切り欠きを第１の切り欠きよりも短くすることで、インナー部材の管状の外形を保つことができる。
【００１０】
第１の切り欠きおよび／または第２の切り欠きは吐水口側から基端部側に向けて徐々に切り欠きの幅が狭まる形状であってもよい。これによると、給水ホースの挿入時に、第１および／または第２の切り欠きを、ホースをインナー部材内に導くガイドとして機能させることができる。
【００１１】
インナー部材において、第１の切り欠きとは径方向反対側に平面部が設けられてもよい。これによると、コネクタ等を吐水管内に収めるスペースを確保することができる。なお、「平面部」とはインナー部材の軸方向断面が直線状になっている部分のことである。「平面部」の側面方向断面は曲線状になっていてもよい。
【００１２】
平面部は、第１の切り欠きの軸方向終端と実質的に同位置まで延び、平面部の終端に段差が形成されていてもよい。これによると、平面部上に配置されたコネクタが水栓の基端部側に移動しないようにする位置決めとして段差が機能する。なお、「切り欠きの軸方向終端」および「平面部の終端」とは基端部側（吐水口側の反対）の端部のことである。
【００１３】
インナー部材の吐水口側先端に、平面部に隣接して、吐水管の内壁面を押圧する押圧片を設けてもよい。これによると、インナー部材と吐水管の内壁面との間の隙間をなくして、平面部上に配置されるハーネスまたは電線の挟み込みを予防することができる。
【発明の効果】
【００１４】
本発明によれば、給水ホースを備え給水ホースと吐水管の間にインナー部材が配置される水栓において、給水ホースをインナー部材に挿入しやすくなる。
【図面の簡単な説明】
【００１５】
【図１】本発明の一実施形態に係る水栓を備えたキッチンの概略図である。
【図２】水栓の全体斜視図である。
【図３】吐水管の側面図である。
【図４】吐水管の先端の拡大斜視図である。
【図５】吐水口部材を引き出した状態の斜視図である。
【図６】吐水管の側面方向の断面図である。
【図７】センサホルダの斜視図である。
【図８】インナー部材の側面図である。
【図９】インナー部材の斜視図である。
【図１０】図６中のＡ−Ａ線に沿った軸方向の断面図である。
【図１１】図６中のＢ−Ｂ線に沿った軸方向の断面図である。
【発明を実施するための形態】
【００１６】
図１は、本発明の一実施形態に係る水栓１０を備えたキッチンの概略図である。キッチン１００にはシンク１０２が設けられ、シンク１０２の後側には、天面に対して段差を有するカウンタ１０４が設けられている。カウンタ１０４の左側には水栓１０が設置され、カウンタ１０４の右側には浄水水栓１０６が設置されている。水栓１０は水道管に接続され通常の水道水を供給するのに対し、浄水水栓１０６はシンク１０２の下方に設置される浄水装置に接続されており、浄化された水を供給する。
【００１７】
以下、本明細書において「上」、「下」、「前」、「後」、「左」、「右」、「内」、「外」、「手前」、「奧」等の方向を表す用語が用いられる場合、それらは水栓１０がキッチン等に取り付けられたときの姿勢における方向を意味する。
【００１８】
図２は、図１の水栓１０の全体斜視図である。水栓１０は、基端部２４と、ハンドルレバー２２と、基端部２４の上端面から延出した、吐水部としての吐水管１２と、を主に備える。図３は、基端部２４から取り外した状態の吐水管１２の側面図である。
【００１９】
吐水管１２は、その中間部１２ａが湾曲して逆Ｕ字状に形成され、その先端１２ｂが斜め下方に延び出した、いわゆるグースネック状に形成される。吐水管１２は、金属材料を素材とする鋳物により形成される。詳細は後述するが、吐水管１２の先端１２ｂには、吐水口３８を有する吐水口部材３０と、吐水口３８からの吐水を制御するための自動吐水用センサ４０とが設けられている。図３に示すように、吐水管１２の基端部側には、基端部２４と連結するための連結部材２６が設けられている。
【００２０】
図１に示したように、基端部２４は、キッチンのカウンタ１０４の上面に配置される。基端部２４の上端には、ハンドルレバー２２が設けられている。
【００２１】
基端部２４の内部には、冷水および温水の供給源とそれぞれ接続された冷水管および温水管（図示せず）が延在している。冷水管および温水管と、吐水管１２内に収納され吐水口３８に給水するための給水ホースとの間には、電磁弁（図示せず）が設けられる。この電磁弁は、図示しない制御部による制御のもと弁を開閉して、冷水管および温水管から給水ホースへの水の流れを制御できるようになっている。
【００２２】
基端部２４の内部には、水と湯とを所定比率で混合して適温の温水とする混合弁（図示せず）が設けられている。ハンドルレバー２２はこの混合弁を操作するレバーであり、左右回動操作によって水と湯との混合比率を調節し、すなわち混合水の温度を調節し、また上下回動操作によって温水の吐水流量を調節する。
【００２３】
吐水管１２の先端１２ｂには、自動吐水用センサ４０が設けられている。自動吐水用センサ４０は、例えば、発光部と受光部を有する赤外線式測距センサである。自動吐水用センサ４０は、発光部から吐水口部材３０の吐水口３８の下方に光を投光し、投光した光による使用者の手または食器等の被検知物からの反射光を受光部で受光し、所定の検知エリア内に被検知物があるか否かを検知する。自動吐水用センサ４０は、被検知物の検知結果を示す信号を制御部に出力する。
【００２４】
吐水管１２の手前側、すなわちキッチンに立つ使用者と面する側には、手かざしセンサ１４が設けられている。手かざしセンサ１４は、発光部と受光部を有する赤外線式光量センサである。手かざしセンサ１４は、センサ１４の斜め上方に光を投光し、投光した光による使用者の手等の被検知物からの反射光を受光部で受光し、所定の検知エリア内に被検知物があるか否かを検知する。手かざしセンサ１４は、被検知物の検知結果を示す信号を制御部に出力する。
【００２５】
制御部は、マイコンを搭載した回路基板により構成される。制御部は、自動吐水用センサ４０または手かざしセンサ１４からの出力信号に基づき電磁弁を開閉し、吐水口部材３０の吐水口３８からの給水の有無を切り替える。なお、制御部は、コンピュータのＣＰＵ、メモリをはじめとする素子や回路を組み合わせて実現されていればよい。
【００２６】
なお、自動吐水用センサ４０では、検知エリア内で被検知物が検知されている間だけ、吐水口３８から給水を行うように制御されるのに対し、手かざしセンサ１４では、一旦検知エリア内で被検知物が検知されると、その後被検知物が検知されなくなっても吐水口３８からの給水が継続される。検知エリア内でもう一度被検知物が検知されると、吐水口３８からの給水が停止される。
【００２７】
吐水管１２の使用者から見て手前側、かつ手かざしセンサ１４よりも下側（吐水管１２の先端１２ｂ側）には、押しボタン式のオンオフスイッチ１６が設けられている。オンオフスイッチ１６がオフにされているときは、自動吐水用センサ４０は作動せず、センサ４０の下方に物体が存在しても吐水口３８から給水されることはない。
【００２８】
図３から分かるように、本実施形態では、吐水管１２は一定の曲率となるように形成されている。さらに、吐水管１２の中間部１２ａの頂点に近い部分から吐水管の先端１２ｂにかけて、吐水管１２の下側に向けて膨らんだ中空の張出部１８が形成されている。この張出部１８の下面は、吐水管１２自体よりも曲率が小さいが、吐水管１２の基端部２４側から連続的な滑らかな曲線でつながるように形成されている。張出部１８の先端１８ａは、吐水管１２の先端１２ｂよりも吐水管の軸方向の奧側（吐水管１２の上流側、図３では右斜め上側）に位置している。このような吐水管の製造方法としては、バルジ加工、亜鉛ダイキャスト、樹脂成形等がある。
【００２９】
自動吐水用センサ４０よりも、使用者から見て吐水管１２の奥側には、引き出し自在に構成された吐水口部材３０が取り付けられている。図３から分かるように、吐水口部材３０は、張出部１８の先端、および吐水管１２の先端１２ｂよりも使用者から見て奧側に取り付けられる。吐水口部材３０が取り付けられた状態で、吐水口部材３０の湾曲の内周側は、吐水管１２の基端部２４側および張出部１８の内周側の面と連続的に滑らかな曲線でつながるように形成されている。
【００３０】
図４は、吐水管１２の先端１２ｂ付近の拡大斜視図であり、図５は、吐水口部材３０を引き出した状態を示す図である。
【００３１】
吐水口部材３０は、カバー部３２と、切替操作部３４と、吐水口３８とを有している。
【００３２】
図５に示すように、吐水口部材３０には、可撓性のある金属製の給水ホース５０が接続されている。給水ホース５０の他端は、上述の電磁弁に接続されている。給水ホース５０は、吐水管１２および張出部１８の内部を管軸方向に所定の長さだけ移動自在に収納されている。したがって、吐水口部材３０を吐水管１２から引き出すと、給水ホース５０もそれにつれて引き出される。吐水口部材３０を引き出す方向は、吐水管１２の軸方向とほぼ同じ方向である。吐水口部材３０を吐水管１２に取り付けるとき、給水ホース５０は張出部１８および吐水管１２の中を基端部２４側に向けて移動する。給水ホース５０内を流れる水は、吐水口３８を通して吐出される。
【００３３】
カバー部３２は、給水ホース５０と切替操作部３４を接続するとともに、吐水口部材３０を吐水管１２から取り外すときに使用者が把持する部分を構成している。また、カバー部３２は、吐水口部材３０を吐水管１２に対して容易に着脱可能とするアタッチメントとしての機能も有している。
【００３４】
吐水管１２の先端１２ｂには、管の内側に向けて凹んだ端面４２が形成されており、この端面４２と面一になるように自動吐水用センサ４０が配置されている。吐水管１２の管壁１２ｃにより、自動吐水用センサ４０の周囲が奥まったかたちとなるので、センサ４０に使用者の手が接触することによるセンサ発光面および受光面の汚染や、食器がぶつかることによる損傷を防止することができる。
【００３５】
吐水管１２の先端１２ｂでは、管壁１２ｃの一部が切り欠かれて、切り欠かれた部分には、吐水口部材３０の収納時にガイドとして機能する凹み形状の保持部４４が設けられている。吐水口部材３０のカバー部３２の上面（使用者から見て手前側の面）には、吐水口部材３０の収納時に保持部４４と対向する凸部３１が形成されている。
【００３６】
上述したように、張出部１８と吐水管１２の下面は滑らかに連続しており、管の内部に角や大きな曲率変化が存在しないようにされている。このため、吐水口部材３０を引き出したり収納したりするときに、吐水口部材３０に接続されている給水ホース５０が吐水管１２および張出部１８内で引っ掛かることがないので、吐水口部材３０の操作がしやすい。また、屈曲部がないため、吐水管１２および張出部１８の外面の清掃が容易になる。
【００３７】
収納状態にある吐水口部材３０の後端が接する張出部１８の先端１８ａは、吐水管１２の先端１２ｂよりも吐水管の軸方向の奧側（吐水管１２の上流側）に位置している。このため、吐水口部材３０が収納された状態では、吐水口部材３０の吐水口３８は自動吐水用センサ４０の比較的近傍に位置するようになる。このように、吐水口部材３０を自動吐水用センサ４０よりも管軸方向の吐水管の軸方向の奧側すなわちセンサ４０の背後から引き出す構造とすることで、センサ４０の発光部に対する吐水口部材の下方への突出量を小さくしてセンサの発光部と吐水口の距離を近づけることができる。よって、吐水口の下に手を出した際にセンサが反応しやすくなり、使用感が向上する。また、吐水口部材の下方への突出量を小さくすることで、吐水口下方の空間を広く確保することができる。
【００３８】
吐水口部材３０の切替操作部３４は、給水ホース５０から流れる水をシャワー吐水またはストレート吐水に切り替えるための部材である。切替操作部３４は、カバー部３２の外周の下面側と滑らかに連続する形状となっており、全体として円筒形をなしている。切替操作部３４は、カバー部３２に対して中心軸回りに所定の角度（例えば９０度）だけ回転するように構成されている。切替操作部３４の円筒面には、使用者が指を掛けるための摘み部３６が形成されている。摘み部３６の位置を所定の角度回転させると、シャワー吐水とストレート吐水を切り替えることができる。
【００３９】
図６は、吐水管１２をその中心軸を含む平面で切断した、側面方向の断面図である。
【００４０】
本実施形態では、手かざしセンサ１４とオンオフスイッチ１６は、薄いシート状の保持部材７０の上面に固定され一体化されている。保持部材７０は、例えば樹脂成形されたシートであってもよいし、既存のシート材をトムソン型などで打ち抜いたものであってもよい。手かざしセンサ１４およびオンオフスイッチ１６は、それぞれコネクタ７２、７４を有しており、ハーネス７６によって上述の制御部および電源に接続されている。
【００４１】
吐水管１２および張出部１８の内部には、センサホルダ６４が挿入されている。センサホルダ６４は、吐水管の内径に沿って吐水管の軸方向に延びる、樹脂製の一体成形部材である。センサホルダ６４は、保持部材７０、自動吐水用センサ４０、およびこれらから延びるコネクタとハーネスを、吐水管内で適所に保持するための部材である。
【００４２】
センサホルダ６４の後方、すなわち水栓１０の基端部側には、筒状のインナー部材８０が配置される。インナー部材８０は、保持部材７０およびハーネス７６と給水ホース５０とを離隔して干渉を防止するための、樹脂製の一体成形部材である。図６では、給水ホース５０の一部が省略して示されているが、実際には給水ホース５０はインナー部材８０の中に挿通されてカウンタ下まで延びている。
【００４３】
図７は、センサホルダ６４の斜視図である。
【００４４】
センサホルダ６４は、その上面に、シート状の保持部材７０が載置される保持部材載置面６４ｅを有している。保持部材載置面６４ｅは、凹凸のない滑らかな面に形成される。
【００４５】
センサホルダ６４は、吐水口３８側の先端に、自動吐水用センサ４０が検出面を下向きにして収納されるセンサ収納部６４ｂを有している。また、センサホルダ６４は、センサ収納部６４ｂの後方、すなわち吐水管１２の基端部に向かう方向に、自動吐水用センサ４０と制御部から延びるハーネスとを接続するためのコネクタ４３が収納されるコネクタ収納部６４ｃを有している。センサホルダ６４は、コネクタ収納部６４ｃのさらに後方、すなわち吐水管１２の基端部に向かう方向に、ハーネスを保持するためのハーネス収納部６４ｇ（図７では裏側に位置する）を有している。
【００４６】
上記のように、センサ収納部６４ｂ、コネクタ収納部６４ｃ、ハーネス収納部６４ｇが吐水管の軸方向に並べて設けられたセンサホルダ６４を使用することで、自動吐水用センサ４０、コネクタおよびハーネスを、吐水管内の比較的小さい空間に収まり良く収納することが可能になる。
【００４７】
センサホルダ６４は、吐水口部材３０の収納時に吐水口部材３０を保持するための円筒状の吐水口保持部６４ａと、吐水口部材３０に連結される給水ホース５０を収納するホース収納部６４ｈと、をさらに備えている。吐水口保持部６４ａには、給水ホース５０が挿通される穴６４ｊが形成されている。センサホルダ６４が吐水管１２内に装着された状態では、図５に示すように、吐水口保持部６４ａが張出部１８の先端１８ａから突出する。
【００４８】
図示しないが、吐水口部材３０の張出部１８に面する後端には、吐水口保持部６４ａと嵌合する凹部が形成されている。吐水口部材３０を収納する場合、吐水口保持部６４ａの穴６４ｊの中に給水ホース５０が押し込まれることにより、吐水口部材３０の後端が吐水口保持部６４ａに導かれる。吐水口部材３０をそのまま押し込んでいくと、吐水口部材３０の上面に形成された凸部３１が吐水管１２の保持部４４により誘導され、吐水口部材３０と吐水口保持部６４ａとが嵌合することにより、吐水口部材３０が吐水管１２に対して保持される。吐水口部材３０を引き出す場合は、吐水口部材３０を斜め下方に向けて引くと、凸部３１が保持部４４により誘導されて引き出される。
【００４９】
このように、吐水口保持部６４ａをセンサホルダ６４と一体化したことによって、吐水口部材周りがすっきりとしたコンパクトな外観となり、したがって清掃性も向上する。
【００５０】
図８はインナー部材８０の側面図であり、図９はインナー部材８０の斜視図である。
【００５１】
インナー部材８０は、全体として管状の部材であるが、その下側に、吐水口側先端から軸方向に沿って延びる第１の切り欠きとしての下側切り欠き８２が設けられている。下側切り欠き８２の軸方向終端８２ａより先、すなわち水栓の基端部側は、開口部のない閉じた軸方向断面形状となっており、これによってインナー部材８０の外形を維持している。このようにインナー部材の吐水口側に下側切り欠き８２を設けることで、吐水口側からインナー部材８０内に給水ホースを挿入するときに下側切り欠き８２が広がるため、給水ホースの挿入がしやすくなる。
【００５２】
下側切り欠き８２の吐水口側先端は、吐水口側から基端部側に向けて徐々に切り欠きの幅が狭まる形状になっている。こうすると、インナー部材８０内への給水ホース５０の挿入時に、下側切り欠きが給水ホースをインナー部材内に導くガイドとして機能するため、給水ホースの引っ掛かりを防止できる。なお、図９では、下側切り欠き８２の軸方向終端８２ａがＵ字形になっているが、吐水口側から基端部側に向けて徐々に切り欠きの幅が狭まるＶ字形にされていてもよい。
【００５３】
インナー部材８０の上側にも、吐水口側先端から軸方向に沿って延びる第２の切り欠きとしての上側切り欠き８４を設けてもよい。こうすると、給水ホース５０の挿入時に下側切り欠きと上側切り欠きの両方が広がるので、給水ホースの挿入がさらにしやすくなる。なお、上側切り欠き８４の軸方向長さを下側切り欠き８２よりも短くすることで、インナー部材８０の管状の外形を維持することができる。また、上側切り欠き８４の形状も、吐水口側から基端部側に向けて徐々に切り欠きの幅が狭まるＶ字形にすることで、給水ホースをインナー部材内に導くガイドとして機能させることができる。
【００５４】
インナー部材８０には、下側切り欠き８２とは径方向反対側に、平面部８６が形成されている。この平面部８６は、下側切り欠き８２の軸方向終端８２ａと実質的に同位置まで延びており、平面部８６の軸方向終端には段差８９が形成されている。なお、本明細書でいう平面部とは、インナー部材８０の軸方向断面が直線状になっている部分のことを指す。平面部の側面方向断面は曲線状になっていてもよい。
【００５５】
図１０は、図６中のＡ−Ａ線に沿った軸方向の断面図である。コネクタ７２は、インナー部材８０の平面部８６上に配置される。図示しないが、コネクタ７４も同様に平面部８６上に配置される。このように、インナー部材８０の上面に平面部８６を設けることによって、コネクタを吐水管内に収めるスペースを確保することができる。また、平面部８６を適切な剛性にすることで、給水ホース挿入時の下側切り欠き８２が広がる影響を軽減することができる。また、コネクタやハーネスを収めるスペースが下側切り欠き８２の径方向の反対側になるため、コネクタやハーネスが下側切り欠きに入り込みにくくなり、給水ホース５０の摺動の影響を受けにくい。
【００５６】
インナー部材８０の段差８９は、平面部８６上に配置されたコネクタ７２、７４が水栓の基端部側に移動しないようにする位置決めとして機能する。さらに、ハーネス７６にインシュロックを巻いておけば、ハーネス７６が基端部側から引っ張られたときに段差８９にインシュロックが引っ掛かるため、コネクタに負荷が掛かってコネクタが外れたりハーネスが断線したりするのを防止できる。
【００５７】
インナー部材８０には、平面部８６を二つの区画８６ａ、８６ｂに分割する、軸方向に延びる隆起部８８がさらに形成されてもよい。この場合、区画８６ａには、手かざしセンサ１４およびオンオフスイッチ１６に接続されたコネクタ７２、７４、およびハーネス７６を通し、区画８６ｂには、自動吐水用センサ４０に接続されたコネクタ（図示せず）やハーネス７７を通してもよい。こうすることで、水栓のメンテナンス時に、二組のハーネスを絡ませずにそれぞれ別々に摺動させることが可能になる。
【００５８】
図１１は、図６中のＢ−Ｂ線に沿った軸方向の断面図である。本図では、吐水管１２、保持部材７０、インナー部材８０の構成を主に示し、以下で説明する押圧片９０の説明に不要な構成は省略する。
インナー部材８０の吐水口側先端には、押圧片９０が設けられている。押圧片９０は、インナー部材８０の先端の側面の一部をＵ字形に折り曲げることによって形成されるが、他の方法で形成されてもよい。押圧片９０は図１１中の左右方向に弾性を備える。インナー部材８０が吐水管１２内に挿入されると、押圧片９０の先端９０ａが吐水管１２の内壁面を押圧することにより、押圧片９０とは反対側に位置するインナー部材８０の側面が内壁面に押し付けられる。これによって、吐水管１２の内壁面とインナー部材８０の側面との間の隙間を埋めることができ、例えばハーネスを吐水口側から引っ張ったときに、ハーネスがインナー部材８０の平面部８６上から脱落して上記の隙間に挟まってしまうような事態を回避することができる。
【００５９】
図６を再び参照して、水栓１０の組み付け方法について説明する。まず、吐水管１２内にインナー部材８０を挿入し、続いて保持部材７０を吐水管１２内に挿入する。このとき、キッチンのカウンタ下からハーネス７６を引っ張ることで、保持部材７０を吐水管内に引き入れることができる。ハーネス７６は、保持部材７０の基端部側端部７０ｃに形成された貫通穴７０ｂに上面側から挿通されているので、基端部側端部７０ｃが持ち上がった状態になる。したがって、基端部側端部７０ｃがインナー部材８０の先端に引っ掛かることなく、インナー部材８０の上部に保持部材７０を乗せることができる。
【００６０】
保持部材７０の挿入後、センサホルダ６４を吐水管内に挿入する。図６から分かるように、センサホルダ６４は、保持部材７０を吐水管１２の内面に押し付ける役割も有している。センサホルダ６４を吐水管内に完全に収納することによって、手かざしセンサ１４およびオンオフスイッチ１６が吐水管の管壁に形成された穴を通して突出して固定される。
【００６１】
最後に、給水ホース５０を吐水管内に挿入する。給水ホース５０が、センサホルダ６４の穴６４ｊおよびホース収納部６４ｈを通り、インナー部材８０の先端に到達すると、下側切り欠き８２および上側切り欠き８４が広がって、インナー部材８０の中に給水ホース５０を通しやすくなる。したがって、給水ホースの組み付け性が向上する。
【００６２】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００６３】
インナー部材８０に設ける切り欠きは、下側切り欠きまたは上側切り欠きのいずれか一方であってもよい。また、切り欠きの位置はインナー部材の上側や下側に限られず、インナー部材の左右側部の片側または両側に設けてもよい。また、二つ以上の切り欠きをインナー部材に設ける場合、その軸方向長さは異なっていても同一であってもよい。
【００６４】
実施の形態では、吐水口部材が自動吐水用センサよりも使用者から見て奧側（カウンタ側）に設けられているが、張出部を吐水管の手前側（シンク側）に形成して吐水口部材を自動吐水用センサよりも手前側に設けてもよい。また、吐水口部材が引き出し式でなく固定されている水栓でも、実施の形態に係る保持部材およびセンサホルダを使用することができる。
【００６５】
保持部材はシート状に限られず、吐水管内に配置することができれば他の形状であってもよい。また、保持部材上に固定されるのは、手かざしセンサとオンオフスイッチの組み合わせに限られない。いずれか一方でもよいし、これらの代わりにあるいはこれらとともに、タッチセンサ、ＬＥＤ、薄型ディスプレイ等の、ハーネスから電力供給を受ける電子部品が保持部材上に固定されてもよい。また、吐水管内に電子部品を備えないものであってもよく、手動操作のみの水栓であってもよい。
【００６６】
本発明に係る水栓は、建物、船舶等に設置される設備に用いることができ、キッチンの他に、洗面台、手洗器、浴室等に用いられてもよい。また、水栓の基端部が固定される基体としてカウンタを例示したが、基体は、浴室等の設備の外内を区画する壁部材等であってもよい。
【００６７】
また、吐水部の形状はグースネック状の吐水管に限定されず、直線状の吐水管などの他の形状に形成されていてもよい。直線状の吐水管の場合も、インナー部材においてコネクタおよびハーネスが配置される側と反対側に切り欠きを設けることが好ましい。
【符号の説明】
【００６８】
１０  水栓、  １２  吐水管、  １４  手かざしセンサ、  ３０  吐水口部材、  ３８  吐水口、  ４０  自動吐水用センサ、  ５０  給水ホース、  ６４  センサホルダ、  ７０  保持部材、  ７６  ハーネス、  ８０  インナー部材、  ８２  下側切り欠き、  ８４  上側切り欠き、  ８６  平面部、  ８９  段差。
【図１】
0006456190.tif 000002
【図２】
0006456190.tif 000003
【図３】
0006456190.tif 000004
【図４】
0006456190.tif 000005
【図５】
0006456190.tif 000006
【図６】
0006456190.tif 000007
【図７】
0006456190.tif 000008
【図８】
0006456190.tif 000009
【図９】
0006456190.tif 000010
【図１０】
0006456190.tif 000011
【図１１】
0006456190.tif 000012